(57)【要約】【課題】ネットワーク接続される画像入力装置において、ネットワーク制御不可になった時の対処手段を持つ画像入力装置を提供する。また起動時、終了時、スリープ状態ド遷移時に扱いやすい画像入力装置を提供する。【解決手段】ネットワーク接続不可状態において、その設定情報や制御状況を表示する機能を持つ事を特徴とする。またネットワーク接続機器として扱いのしやすいスリープ状態や、起動、終了方法を行う事が出来る事を特徴とする。【選択図】        図１
2006051047.tif 000002
【特許請求の範囲】
【請求項１】
放射線画像を検出する検出手段を備え、前記検出した放射線画像に基づいて、画像情報を入力するようにした画像入力装置であって、装置が省電力モードで動作中に電源ボタンを押す事によって、電源ＯＦＦ動作を始めるように起動し、電源ＯＦＦ動作をする事を特徴とする画像入力装置。
【請求項２】
前記請求項１の画像入力装置において、電源ＯＦＦ動作時に起動中のＯＳをシャットダウン動作する事を特徴とする画像入力装置。
【請求項３】
前記請求項１の画像入力装置において、電源ＯＦＦ動作時に起動中のＬｉｎｕｘ−ＯＳをシャットダウン動作する事を特徴とする画像入力装置。
【請求項４】
放射線画像を検出する検出手段を備え、前記検出した放射線画像に基づいて、画像情報を入力するようにした画像入力装置であって、装置が省電力モードで動作中に電源ボタンを押す事によって、電源ＯＮ動作を始めるように起動し、装置初期化動作を始め撮影可能状態に遷移する事を特徴とする画像入力装置。
【請求項５】
放射線画像を検出する検出手段を備え、前記検出した放射線画像に基づいて、画像情報を入力するようにした画像入力装置であって、画像読み取り部（入力部）と画像表示部が機構的に分かれており、それぞれ独立なネットワークのポートを持ち、ネットワークで接続されるシステムにおいて、画像表示部の電源をＯＦＦすると自動的に画像読み取り部（入力部）が省電力モードに遷移する事を特徴とする画像入力装置。
【請求項６】
前記請求項５の画像入力装置において、複数台の画像読み取り部と画像表示部がネットワークで接続されるシステムにおいて、それぞれ関連付けされて意図した画像表示部の電源をＯＦＦすると、関連付けされた画像読み取り部（入力部）が省電力モードに遷移する事を特徴とする画像入力装置。
【請求項７】
前記請求項６の画像入力装置において、画像読み取り部（入力部）が省電力モードで動作中に電源ボタンを押す事によって、電源ＯＦＦ動作を始めるように起動し、電源ＯＦＦ動作をする事を特徴とする画像入力装置。
【請求項８】
前記請求項７の画像入力装置において、画像読み取り部（入力部）が画像読み取り中は電源ＯＦＦ動作に入らず、読み取り動作終了後に電源ＯＦＦ動作を行う事を特徴とする画像入力装置。
【請求項９】
前記請求項６の画像入力装置において、画像読み取り部（入力部）が省電力モードで動作中に電源ボタンを押す事によって、装置初期化を行い電源ＯＮ動作を始め、画像読み取りが出来る状態に遷移する事を特徴とする画像入力装置。
【請求項１０】
前記請求項１，２，３，７，８の画像入力装置において、電源ＯＮ／ＯＦＦボタン兼用のワンプッシュスイッチを使用している機器において、電源ＯＦＦ動作をする意思確認を行うために、ボタン長押しで電源ＯＦＦ動作に入る事を特徴とする画像入力装置。
【請求項１１】
前記請求項１０の画像入力装置において、電源ＯＮ／ＯＦＦボタン兼用のワンプッシュＳＷを使用している機器において、電源ＯＦＦ動作をする意思確認のためのボタン長押し作業を確認可能にするために、ダウンカウントを表示もしくは音出力する機能を持つ事を特徴とする画像入力装置。
【請求項１２】
放射線画像を検出する検出手段を備え、前記検出した放射線画像に基づいて、画像情報を入力するようにした画像入力装置であって、画像読み取り部（入力部）と画像表示部が機構的に分かれており、それぞれ独立なネットワークのポートを持ち、ネットワークで接続されるシステムにおいて、画像読み取り部（入力部）がネットワークに繋がっていない場合に、ＩＰアドレスもしくはＭＡＣアドレス、またはＩＰとＭＡＣアドレス両方を表示することを特徴とする画像入力装置。
【請求項１３】
前記請求項１２の画像入力装置において、画像読み取り部がネットワークに繋がっていないもしくは、画像表示部がネットワークに繋がっていないか電源ＯＦＦ時、画像表示部のＩＰアドレスを表示したり、もしくは画像表示部や画像読み取り部の動作管理を行うサーバーがある場合、そのサーバーのＩＰアドレスを表示する事を特徴とする画像入力装置。
【発明の詳細な説明】
【０００１】
【発明の属する技術分野】
本発明は、主に医療分野で使用される放射線画像情報を入力するための画像入力装置に関するものである。
【０００２】
【従来の技術】
病気診断等のために放射線発生装置から被写体に放射線を照射し、被写体を透過した放射線による放射線画像を読み取り画像情報を入力するようにした画像入力装置が公知である。かかる画像入力装置には、放射線画像情報を蓄積した輝尽性蛍光体プレートにレーザー光を走査して発生した輝尽光を集光しフォトマルチプライヤ（以下ＰＭＴという場合がある）で光電変換して電気信号に変えるシステム（ＣＲタイプ）、及び、被写体を通過して照射されるＸ線エネルギーをＸ線透過画像として再構成するための電気信号に変換する機能を有し画像診断のために必要な人体の部分を十分に覆う面積の平面をもつ平板状のＸ線画像平面検出器（Ｘ線フラットパネルディテクタ）から構成したシステム（ＦＰＤタイプ）がある。
【０００３】
例えばＣＲタイプの画像入力装置において、画像処理や表示部と、画像読み取り部（リーダー部）が各々独立してネットワーク上に存在する事が無かった。あったとしてもある特定条件下（１；１のローカル接続など）のため、ネットワーク設定に関して気にする必要がなかった。また画像読み取り部で電気が瞬間的に供給されなかったりした場合でも、ハードディスクやメモリカードなど容量の大きい読み書き可能なメモリ上にＯＳを保存し動作させたりする必要がなく、リアルタイムＯＳなど電源ＯＦＦにも比較的強いＯＳで構築していたため特にソフトウエアが壊れる事がなかった。
【０００４】
【発明が解決しようとする課題】
本発明は、上記従来技術の問題に鑑み、画像処理や表示部と画像読み取り部（リーダー部）が各々独立してネットワーク上に存在し、ネットワーク設定や動作状況で異常を起こしても対応できるように状況判断できるよう数ラインのキャラクタデータを表示可能なＬＣＤ（液晶ディスプレイ）や、もしくは画像表示可能なディスプレイ等に表示する機能を設けた画像入力装置を提供する事を目的とする。またネットワーク上で画像読み取りや、表示部などが独立して存在する場合、そのシャットダウン方法や、省電力モードへの移行機能を提供する事を目的とする。
【０００５】
またネットワーク上で動作させるため、ネットワーク制御を主に担当するＯＳとして例えばＵＮＩＸ（Ｒ）系（例えばＬｉｎｕｘやＢＳＤ等）などを使用する事を特徴とし、安全にＯＳシャットダウンができるような電源のＯＮ／ＯＦＦシステムを持つ画像入力装置を提供する事を目的とする。もちろん使用ＯＳはＵＮＩＸ（Ｒ）に限らない。
【０００６】
【課題を解決するための手段】
上記目的を達成するために、本発明による画像入力装置は、放射線画像を検出する検出手段を備え、前記検出した放射線画像に基づいて画像情報を入力するようにした画像入力装置であって、装置が省電力モードで動作中に電源ボタンを押す事で、電源ＯＦＦ動作を始めるために動作復帰し、電源ＯＦＦ動作をする。その時電源ＯＦＦ時に動作中のＯＳをシャットダウンさせて安全に終了する事が可能である（図２）。もちろん通常動作時に該当電源ＳＷを押して、電源ＯＦＦ動作をする。
【０００７】
また同様の機器において、省電力モードで動作中の機器の電源ボタンを押す事で、電源ＯＮ動作を始めるように起動し、装置初期化動作を始め、撮影可能状態に遷移するようにする事もできる。この場合省電力モード時に必ず電源ボタンを押すと、電源ＯＮ（通電状態）、撮影可能状態時に電源ボタンを押す事で始めて電源ＯＦＦになる図３の形態の動作を行う。
【０００８】
更に、放射線画像を検出する検出手段を備え、前記検出した放射線画像に基づいて、画像情報を入力するようにした画像入力装置であって、画像読み取り部（入力部）と画像表示部が機構的に分かれており、それぞれ独立なネットワークのポートを持ち、ネットワークで接続されるシステムにおいて、画像表示部の電源をＯＦＦすると自動的に画像読み取り部（入力部）が省電力モードに遷移する機能を持つ事ができる。この省電力モードへの遷移については、予め画像表示部と画像読み取り部の関連付けをしておき、関連付いた画像表示部全てが電源ＯＦＦされた時に、電源ＯＦＦになっている事を検知して自動的に省電力モードに移行することを特徴とする。この検知方法は、画像表示部が電源ＯＦＦ動作に入る時に情報をネットワーク経由で画像読み取り部に送信してコントロールする事ができる。また外部に画像表示部と画像読み取り部の動作状況を管理するサーバーを持たせて、そのサーバーからデータをもらい、関連付けされた画像表示部が立ち上がっているかを画像読み取り部が監視し、全て立ち下がっている時に省電力モードに移行することを特徴とする。
【０００９】
また機構的に分かれている画像読み取り部で、省電力モード動作時に、電源ボタンを使用する事で電源ＯＦＦ動作を開始する事が可能。またこの電源ボタンについては、電源をＯＮにするようにする事も可能である。
【００１０】
またこれらの電源ＯＦＦ動作は、画像読み取り部が画像読み取り中には動作せず、読み取り動作終了後に自動的にＯＦＦする機能を持たす事も可能である。
【００１１】
また電源ボタンだが、ワンプッシュスイッチを使用している場合、たまたまボタンに触れてしまった場合等に、電源ＯＦＦ動作移行しないために、電源ＯＦＦ動作をする意思確認があると良い。意思確認としては、ボタン長押しで電源ＯＦＦ動作に入る事でも良いし、電源ＯＦＦ時は警告音を発し、警告音発している時間にボタンを離せばＯＦＦ動作をさせないようなシステムでも構わない。
【００１２】
ここで電源ＯＦＦ時に長押し動作をさせる場合、入力装置自体動作している事を表すためにも、長押し時間のダウンカウントを表示し、ユーザーに対して現在電源ＯＦＦの長押し動作中である事を示す事ができる。
【００１３】
放射線画像を検出する検出手段を備え、前記検出した放射線画像に基づいて、画像情報を入力するようにした画像入力装置であって、画像読み取り部（入力部）と画像表示部が機構的に分かれており、それぞれ独立なネットワークのポートを持ち、ネットワークで接続されるシステムにおいて、画像読み取り部（入力部）がネットワークに繋がっていない場合、もしくは対応する画像表示部が存在しないか動作していない場合に、ＩＰアドレスもしくはＭＡＣアドレス、またはＩＰとＭＡＣアドレス両方を表示させて、その装置自身のＩＰアドレスがいくつなのか分かるようにする事を特徴とする画像入力装置。そこで表示されたＩＰアドレス等を使用し、接続し直して画像読み取り部のネットワーク設定の修正などの変更作業を行う事ができる。また表示されたＩＰアドレスを使用し、画像表示部のネットワーク設定を修正する事もできる。ここで表示するネットワーク設定は装置自身のＩＰアドレスでも構わないし、接続すべき機器、例えばここでは画像表示部であったり、画像読み取り部と画像表示部を管理しているサーバーのＩＰアドレス等でも構わない。これらのネットワーク設定を表示する事で、ネットワーク接続できなかった時に、機器が黙って動かなくなる事がなく、簡単に対応が出来る。
【００１４】
【発明の実施の形態】
以下、本発明による実施の形態について説明する。図１は本発明の実施の形態による放射線画像入力装置の概略図である。図１の放射線画像入力装置５０は、記録媒体として輝尽性蛍光体プレート４に記録された放射線画像を読み取ることで放射線画像の情報を入力するＣＲタイプの放射線画像入力装置であり、図１に示す形式を持つ。
【００１５】
図１の入力装置３は、放射線画像を照射するとこの放射線エネルギーの一部が蓄積され、その後、可視光やレーザー光等の励起光を照射すると蓄積された放射線エネルギーに応じて輝尽発光を示す輝尽性蛍光体を利用して、支持体上に蓄積性蛍光体を積層してなるシート状の輝尽性蛍光体プレート４に、放射線発生装置３０から照射された放射線による人体等の被写体Ｍの放射線画像情報を一旦蓄積し記録したものに、レーザー光を走査して順次輝尽発光させ、この輝尽発光光を光電読み取り部２０により光電的に順次読み取って画像信号を得るものである。そして、入力装置３では、この画像信号読み取り後の蓄積性蛍光体プレートに消去光を照射して、このプレートに残留する放射線エネルギーを放出させ、次の撮影に備える。放射線発生装置３０は、被写体Ｍに管球から放射線を照射する放射線照射部３１と放射線照射部３１を制御する制御部３２を備える。
【００１６】
入力装置３は、被写体の放射線画像情報を記録する輝尽性蛍光体プレート４と、輝尽性蛍光体プレート４に対する励起光としてのレーザー光を発生するレーザーダイオード等からなるレーザー光源部６と、レーザー光源部６を駆動するためのレーザー駆動回路５と、レーザー光源部６からのレーザー光を輝尽性蛍光体プレート４上に走査させるための光学系７と、励起レーザー光により励起された輝尽発光を集光し、光電変換して画像信号を得る光電読み取り部２０とを有する。
【００１７】
光電読み取り部２０は、励起レーザー光により励起された輝尽発光を集光する集光体８と、集光体８により集光された光を光電変換し検出器として機能するフォトマルチプライヤ（ＰＭＴ）１０と、フォトマルチプライヤ１０に電圧を加える高圧電源１０ａと、フォトマルチプライヤ１０からの電流信号を対数電圧変換をする電流電圧変換部１１と、この電流電圧変換部１１からアナログ信号をＡ／Ｄ変換するＡ／Ｄ変換部１２と、この変換されたデジタル信号について、各種の補正を行う補正部１３とを有し、読み取った放射線画像デーのデジタル信号をコントローラ１８に転送する。補正部１３は、補正データ等を格納するメモリを有し、各種補正の一つとして補正データを用いて光学系７・集光系８起因の濃度むらを補正できる。またフォトマルチプライヤ（ＰＭＴ）の感度むらを補正すべく、高圧電源１０ａを調整するオフセット値を感度むら補正として値を確認する事ができ、感度むらを補正できる。
【００１８】
入力装置３は、更に、画像信号読み取り後の輝尽性蛍光体プレートに残留する放射線エネルギーを放出させるために、消去光を照射するハロゲンランプ１４と、このハロゲンランプ１４を駆動するドライバ１５とを有する。また、入力装置３は、レーザー駆動回路５、高圧電源１０ａ、電流電圧変換部１１、Ａ／Ｄ変換部１２、補正部１３、ドライバ１５をそれぞれ制御する制御部１７を有する。また入力装置３のレーザー光源部６、光学系７、集光体８、フォトマルチプライヤ１０、及びハロゲンランプ１４が機器に固定され、図示しない副走査ユニットとしてプレート４を搬送する機構により、レーザー走査方向と垂直な副走査方向にプレート４が移動する。この副走査ユニットは、画像読み取り時に移動することにより副走査し読み取りし、更に移動する間にハロゲンランプが発光する事で、輝尽性蛍光体プレート４に残留する放射線画像情報を消去する。このようにして輝尽性蛍光体プレート４に記録された放射線画像が自動的に読み取られ、情報入力が行われるとともに、読み取り後の残像が消去され、次の放射線撮影を行う事ができる。
【００１９】
コントローラ１８は、パソコン本体部２５と、キーボード２６と、モニタ表示部並びにタッチパネルモニタ入力部２７とを有し、入力装置３から受信した放射線画像データのデジタル信号を一旦メモリ上に記憶し、画像処理し、キーボード２６からの操作入力に応じて、モニタ表示部２７への表示と画像処理を制御し、画像処理された放射線画像データを外部に出力する。
【００２０】
ここでコントローラー１８は、この特許でいう画像表示部にあたり、画像入力装置５０は、画像読み取り部にあたる。電源ボタンは画像入力装置５０に存在し、このボタンを押す事で、画像読み取り部の電源ＯＦＦ動作が始まる。その場合画像読み取り部の制御部１７にて主にネットワーク制御を行っているＵＮＩＸ（Ｒ）などのＯＳをシャットダウンさせて、電源ＯＦＦ可能な状態にする事が出来る。またコントローラー１８の電源がＯＦＦされた時は、制御部１７のネットワークに関する機能部分のみ電気を通電し、その他画像信号処理系、アナログ系の電源をＯＦＦし省電力モードに移行する事ができる。
【００２１】
ここで省電力モードに移行しても、制御部１７のネットワーク部分は機能しているため、コントローラー１８が立ち上がり、制御部１７に対して起動のコマンド等を投げる事で、起動動作をする事が可能。またこの省電力モード中、電源ボタン制御に関する電気も生きており、省電力モード中の電源ＯＮ／ＯＦＦが自由に行う事ができる。
【００２２】
電源ＯＦＦ時の意思確認のダウンカウントや、ネットワーク接続されていない（画像表示部とネットワークのコネクションができない、もしくは画像表示部と画像読み取り部の動作状況を管理するサーバーとのコネクションが出来ない）場合、装置自身のＩＰアドレス表示をするためのキャラクタを表示できるＬＣＤを、画像読み取り部は持っており、表示を行う。
【００２３】
【発明の効果】
本発明によれば、ネットワーク接続されたリーダーにおいて、ネットワーク設定状況をネットワーク接続できない時に表示する事で、その表示データをもとに繋ぎなおしなどの作業が出来、操作不能にならないようにする事ができる。
【００２４】
またネットワークでのリモート制御と機器自身の電源ＯＮ／ＯＦＦ制御、スリープモードと通常動作時の遷移を問題なく行う事ができ操作のしやすい、画像入力装置を提供できる。
【図面の簡単な説明】
【図１】本発明の実施の形態による放射線画像入力装置の概略図である。
【符号の説明】
５０  放射線画像入力装置
４  輝尽性蛍光体プレート
１０  フォトマルチプライヤ（検出手段、検出器）
１０ａ  高圧電源
１７  制御部（感度補正手段、記憶手段）
１３  補正部
３  画像読み取り部（入力部）
１８  画像表示部
６０  ネットワーク接続部
【図１】
2006051047.tif 000003